(57)【要約】      （修正有）【課題】装置等への取り付け時や輸送時等における取扱い易さが向上させるために、総端子から電力を出力できない状態にできる蓄電装置を提供する。【解決手段】複数の蓄電素子と、蓄電素子から電力が供給される総合電極７１と、総合電極と電気的に断続され、且つ、総合電極と導電部材で電気的に接続される総端子７０と、総合電極を取り外し可能に覆う被覆部材７４と、被覆部材で覆われている総合電極を開閉可能に覆うカバーとが備えられている蓄電装置。【選択図】図１３
2019057432.tif 000002
【特許請求の範囲】
【請求項１】
複数の蓄電素子と、
前記複数の蓄電素子から電力が供給される総合電極と、
前記総合電極と電気的に断絶されており、且つ、導電部材によって前記総合電極と電気的に接続される総端子と、
前記総合電極を取り外し可能に覆う被覆部材と、
該被覆部材で覆われている前記総合電極を開閉可能に覆うカバーと、を備えている蓄電装置。
【請求項２】
前記総合電極及び前記総端子に対して着脱可能な導電部材を備え、
前記総合電極と前記総端子とが前記導電部材で電気的に接続された第１の状態と、前記総合電極と前記総端子とが電気的に接続されていない第２の状態とに切替可能である請求項１記載の蓄電装置。
【発明の詳細な説明】
【技術分野】
【０００１】
本発明は、複数の蓄電素子を備える蓄電装置に関する。
【背景技術】
【０００２】
従来、複数の電池セルを備えた組電池が知られている（特許文献１参照）。具体的に、この組電池は、正極端子及び負極端子からなる電極端子をそれぞれ有する複数の電池セルと、全ての前記電池セルを直列に結線するように電極端子間を接続する複数のバスバと、を備える。
【０００３】
前記組電池において、電気が流れる経路の一方端に位置する前記電池セルの前記正極端子が接続される前記バスバの端部が該組電池全体の総端子としての正極側端子に相当する。また、前記電気が流れる経路の他方端に位置する前記電池セルの前記負極端子が接続される前記バスバの端部が該組電池全体の総端子としての負極側端子に相当する。
【０００４】
以上の組電池では、前記バスバが前記電極端子にレーザー溶接やアーク溶接によって接続（固着）されている。このため、前記電極端子から前記バスバを容易に取り外すことができず、これにより、前記組電池においては、前記正極側端子（正極側の総端子）と前記負極側端子（負極側の総端子）とから電気の入出力が常に可能である。
【先行技術文献】
【特許文献】
【０００５】
【特許文献１】特開２０１３−１２０６９０号公報
【発明の概要】
【発明が解決しようとする課題】
【０００６】
従来の蓄電装置では、該蓄電装置が設置される装置等への取り付け時又は輸送時等の出力が不要な場合であっても、総端子から電気の出力が可能な状態が維持される。蓄電装置には、総端子から電気の出力ができない状態にして装置等への取り付け時や輸送時等における取扱い易さを向上させることが望まれている。そこで、本実施形態では、装置等への取り付け時や輸送時等における取扱い易さが向上された蓄電装置を提供することを目的とする。
【課題を解決するための手段】
【０００７】
本実施形態の蓄電装置は、
複数の蓄電素子と、
前記複数の蓄電素子から電力が供給される総合電極と、
前記総合電極と電気的に断絶されており、且つ、導電部材によって前記総合電極と電気的に接続される総端子と、
前記総合電極を取り外し可能に覆う被覆部材と、
該被覆部材で覆われている前記総合電極を開閉可能に覆うカバーと、を備えている。
【０００８】
本実施形態の蓄電装置は、複数の蓄電素子から電力が供給される総合電極と電気的に断絶されており、且つ、導電部材で総合電極と電気的に接続される総端子を有する。このため、本実施形態の蓄電装置は、装置等への取り付け時や輸送時等において総端子から出力できない状態にすることができる。また、本実施形態の蓄電装置では、総合電極が被覆部材で覆われているため、総合電極と総端子とが不用意に電気的に接続されることも抑制される。また、本実施形態の蓄電装置では、総合電極が被覆部材とカバーとによって二重に保護されているため該総合電極から不用意な出力が生じることも抑制され得る。
【０００９】
この場合、蓄電装置は、
前記総合電極及び前記総端子に対して着脱可能な導電部材を備え、
前記総合電極と前記総端子とが前記導電部材で電気的に接続された第１の状態と、前記総合電極と前記総端子とが電気的に接続されていない第２の状態とに切替可能であってもよい。
【００１０】
かかる構成の蓄電装置は、一旦、搬送や装置等への取り付けが完了して総端子から出力できる状態にされた後に再び搬送することが必要になったり別の装置に取り付けることが必要になった場合でも総端子から出力できない状態にすることができる。
【発明の効果】
【００１１】
以上のごとく本実施形態では、総端子から出力できない状態にすることが可能な蓄電装置が提供されるため、装置等への取り付け時や輸送時等における取扱い易さが向上された蓄電装置が提供され得る。
【図面の簡単な説明】
【００１２】
【図１】図１は、本実施形態の係る蓄電装置の斜視図である。
【図２】図２は、前記蓄電装置の構成を一部省略した状態の分解斜視図である。
【図３】図３は、前記蓄電装置に用いられる蓄電素子の斜視図である。
【図４】図４は、前記蓄電素子の分解斜視図である。
【図５】図５は、前記蓄電装置における第一バスバ及びその周辺の拡大斜視図である。
【図６】図６は、前記蓄電装置における第一バスバ及びその周辺の分解斜視図である。
【図７】図７は、取付部材及び第三部材を取り除いた状態の第一バスバ及びその周辺の拡大斜視図である。
【図８】図８は、第二バスバの斜視図である。
【図９】図９は、端部バスバの斜視図である。
【図１０】図１０は、図１のＸ−Ｘ位置における断面図であって、端子台及びその周辺の断面図である。
【図１１】図１１は、絶縁プレートの斜視図である。
【図１２】図１２は、取付部材及び第三部材を取り外した状態で、第一部材と第二部材との間に前記絶縁プレートを差し込んだ状態の第一バスバ及びその周辺の拡大斜視図である。
【図１３】図１３は、他実施形態に係る蓄電装置における端子台及びその周辺の分解斜視図である。
【図１４】図１４は、前記端子台及びその周辺の拡大断面図である。
【発明を実施するための形態】
【００１３】
以下、本発明の一実施形態について、図１〜図１２を参照しつつ説明する。尚、本実施形態の各構成部材（各構成要素）の名称は、本実施形態におけるものであり、背景技術における各構成部材（各構成要素）の名称と異なる場合がある。
【００１４】
蓄電装置は、図１及び図２に示すように、外部端子１３をそれぞれ有し且つ所定の方向に並ぶ複数の蓄電素子１０と、異なる蓄電素子１０の外部端子１３同士を導通させる複数のバスバ５と、を備える。また、蓄電装置１は、蓄電素子１０と隣り合う複数の隣接部材２と、複数の蓄電素子１０と複数の隣接部材２とをひとまとめに保持する保持部材３と、複数の蓄電素子１０と保持部材３との間に配置されるインシュレータ４と、を備える。本実施形態の蓄電装置１は、隣接部材２に対して取り外し可能に取り付けられる取付部材６を備える。また、蓄電装置１は、外部への電気の入出力に用いられる一対の端子台７を備える。
【００１５】
複数の蓄電素子１０のそれぞれは、図３及び図４にも示すように、正極及び負極を含む電極体１１と、電極体１１を収容するケース１２と、ケース１２の外面に配置される一対の外部端子１３とを備える。
【００１６】
ケース１２は、開口を有するケース本体１２０と、ケース本体１２０の開口を塞ぐ蓋板１２１とを有する。本実施形態のケース１２は、直方体形状である。
【００１７】
ケース本体１２０は、矩形板状の閉塞部１２３と、閉塞部１２３の周縁に接続された筒状の胴部１２４と、を有する。胴部１２４は、閉塞部１２３の輪郭に沿った角筒状、即ち、扁平な角筒状である。この胴部１２４の一端は、閉塞部１２３によって閉塞され、他端は、開口する。即ち、ケース本体１２０は、扁平な有底角筒形状を有する。
【００１８】
蓋板１２１は、ケース本体１２０の開口を塞ぐ板状の部材である。具体的に、蓋板１２１は、法線方向から見て、ケース本体１２０の開口周縁部に対応した輪郭を有する。本実施形態の蓋板１２１には、一対の外部端子１３が電極体１１の各極（正極、負極）に電気的に接続された状態で取り付けられる。本実施形態の蓋板１２１では、一対の外部端子１３は、矩形の蓋板１２１の長手方向に間隔をあけて配置されている。
【００１９】
以上のケース１２は、電極体１１が内部に収容された状態で、蓋板１２１の周縁部がケース本体１２０の開口周縁部に重ねられて該ケース本体１２０の開口が塞がれ、この状態の蓋板１２１とケース本体１２０との境界部が溶接されることで構成される。
【００２０】
本実施形態の蓄電装置１では、以上のように構成される蓄電素子１０が複数配置されている。具体的には、複数の蓄電素子１０が、胴部１２４の幅広の壁部同士を対向させるように並んでいる。尚、以下の説明では、蓄電素子１０の整列する方向（胴部１２４の幅広の壁部同士が対向する方向）を直交座標系におけるＸ軸方向とする。また、蓄電素子１０の胴部１２４の幅狭の壁部同士が対向する方向を直交座標系におけるＹ軸方向とし、蓄電素子１０の蓋板１２１と閉塞部１２３との対向する方向を直交座標系のＺ軸方向とする。これに伴い、各図面に、Ｘ軸方向、Ｙ軸方向、及びＺ軸方向のそれぞれに対応する直交座標軸を補助的に図示する。
【００２１】
隣接部材２は、Ｘ軸方向に並ぶ蓄電素子１０の間、又は蓄電素子１０と該蓄電素子１０に対してＸ軸方向に並ぶ部材（本実施形態の例では、保持部材３の一部）との間に配置される。蓄電装置１は、図２に示すように、複数種の隣接部材を含む。本実施形態の隣接部材２は、蓄電装置１のＸ軸方向の途中位置に配置される蓄電素子１０と隣り合う第一隣接部材（隣接部材）２１と、Ｘ軸方向に並ぶ複数の蓄電素子１０のうちの最も端にある蓄電素子１０と隣り合う第二隣接部材２２と、第一隣接部材２１と第二隣接部材２２との間にある蓄電素子１０と隣り合う第三隣接部材２３と、を含む。
【００２２】
第一隣接部材２１は、Ｘ軸方向に隣り合う蓄電素子１０の間に配置される。これにより、第一隣接部材２１を介してＸ軸方向に並ぶ蓄電素子１０の間に、所定の間隔（沿面距離等）が確保される。また、第一隣接部材２１は、保持部材３に連結（固定）される。
【００２３】
具体的に、第一隣接部材２１は、蓄電素子１０（ケース本体１２０）と隣り合う本体部（以下、「第一本体部」と称する。）２１１と、第一本体部２１１と隣り合う蓄電素子１０の該第一本体部２１１に対する移動を規制する規制部（以下、「第一規制部」と称する。）２１２と、を有する。また、第一隣接部材２１は、保持部材３と係合する軸部２１３を備える。
【００２４】
第一本体部２１１は、Ｘ軸方向から見た際に、隣り合う蓄電素子１０（ケース１２）に対応する矩形の輪郭を有している。第一本体部２１１は、保持部材３に固定（連結）するための連結部２１１１と、バスバ５を支持するバスバ支持部２１１２と、を有する。また、第一本体部２１１は、Ｘ軸方向に隣り合う蓄電素子１０との間に冷却用の流体（本実施形態の例では空気）を通過させる通風路２１５を形成する。詳しくは、第一本体部２１１では、隣り合う蓄電素子１０に向けて（Ｘ軸方向に）突出すると共にＹ軸方向に延びる複数の凸部２１６が、Ｚ軸方向に間隔をあけて並ぶ。これにより、凸部２１６の先端（突出方向の先端）が隣り合う蓄電素子１０と当接することで、第一隣接部材２１と蓄電素子１０との間に通風路２１５が形成される。また、本実施形態の第一隣接部材２１では、第一本体部２１１のＸ軸方向の寸法は、第二隣接部材２２及び第三隣接部材２３における第一本体部２１１に相当する部位のＸ軸方向の寸法より大きい。
【００２５】
連結部２１１１は、第一本体部２１１のＹ軸方向の端部に設けられている。本実施形態の連結部２１１１は、第一本体部２１１のＹ軸方向の両端部にそれぞれ設けられている。この連結部２１１１は、ボルトＢが保持部材３を貫通した状態でねじ込まれる部位である。蓄電装置１では、このボルトＢの連結部２１１１へのねじ込みにより、第一本体部２１１（第一隣接部材２１）と保持部材３とが連結される。本実施形態の連結部２１１１は、第一本体部２１１のＹ軸方向の端部に埋め込まれたナットによって構成される。
【００２６】
バスバ支持部２１１２は、図５及び図６にも示すように、Ｚ軸方向における第一本体部２１１の一方（本実施形態の例では、蓄電素子１０の蓋板１２１と対応する側）の端部に設けられる。このバスバ支持部２１１２は、第一本体部２１１における前記一方の側の端面から部分的に突出した部位である。本実施形態のバスバ支持部２１１２は、第一隣接部材２１の両側に配置された蓄電素子１０の外部端子１３同士を導通させるバスバ５とＺ軸方向に重なる位置に設けられる直方体形状の部位である。このバスバ支持部２１１２は、Ｙ軸方向の両端にＺ軸方向に延びる溝２１１２Ａをそれぞれ有する。この溝２１１２Ａは、第一隣接部材２１を跨いで延びるバスバ５の一部と当接する。
【００２７】
バスバ支持部２１１２は、バスバ５を固定する固定部２１１３を含む。この固定部２１１３は、雌ねじ部である。詳しくは、固定部２１１３は、バスバ支持部２１１２の突出方向の端面においてＺ軸方向に開口する雌ねじ部である。本実施形態の固定部２１１３は、ナットである。
【００２８】
第一規制部２１２は、第一本体部２１１からＸ軸方向に延び、第一本体部２１１と隣り合う蓄電素子１０（詳しくはケース１２）とＹ−Ｚ面（Ｙ軸とＺ軸とを含む面）方向の外側から当接することによって該蓄電素子１０の第一本体部２１１に対するＹ−Ｚ面方向への相対移動を規制する。この第一規制部２１２は、第一本体部２１１の少なくとも各角部からＸ軸方向に延び、第一本体部２１１と隣り合う蓄電素子１０（ケース１２）の角部にＹ−Ｚ面方向の外側から当接する面（当接面）を有する。
【００２９】
軸部２１３は、第一本体部２１１のＹ軸方向の端から外側に向けて延び、保持部材３と係合する。本実施形態の軸部２１３は、第一本体部２１１のＹ軸方向の両端から外側に向けてそれぞれ延びている。具体的に、軸部２１３は、第一本体部２１１のＹ軸方向の端部におけるＺ軸方向の途中位置からＹ軸方向に円柱状に延び、保持部材３において該軸部２１３と対応する部位に設けられた貫通孔３１１２に挿通されている。本実施形態の軸部２１３は、蓄電装置１の製造時等において、保持部材３に第一隣接部材２１を連結（固定）するときの保持部材３に対する第一隣接部材２１の位置決め等に用いられる。
【００３０】
第二隣接部材２２は、絶縁性を有する。第二隣接部材２２は、図１及び図２に示すように、Ｘ軸方向において蓄電素子１０と保持部材３との間に配置される。これにより、第二隣接部材２２を介してＸ軸方向に並ぶ蓄電素子１０と保持部材３との間に、所定の間隔（沿面距離等）が確保される。
【００３１】
具体的に、第二隣接部材２２は、蓄電素子１０と保持部材３との間において該蓄電素子１０（ケース本体１２０）と隣り合う本体部（以下、「第二本体部」と称する。）２２１と、第二本体部２２１と隣り合う蓄電素子１０の該第二本体部２２１に対する移動を規制する規制部（以下、「第二規制部」と称する。）２２２と、を有する。
【００３２】
第二本体部２２１は、Ｘ軸方向から見た際に、隣り合う蓄電素子１０（ケース１２）に対応する矩形の輪郭を有する。また、第二本体部２２１は、Ｘ軸方向に隣り合う蓄電素子１０との間に冷却用の流体（本実施形態の例では空気）を通過させる通風路２２５を形成する。詳しくは、第二本体部２２１では、隣り合う蓄電素子１０に向けて（Ｘ軸方向に）突出すると共にＹ軸方向に延びる複数の凸部２２６が、Ｚ軸方向に間隔をあけて並ぶ。これにより、凸部２２６の先端（突出方向の先端）が隣り合う蓄電素子１０と当接することで、第二隣接部材２２と蓄電素子１０との間に通風路２２５が形成される。
【００３３】
第二規制部２２２は、第二本体部２２１からＸ軸方向に延び、第二本体部２２１と隣り合う蓄電素子１０（詳しくはケース１２）とＹ−Ｚ面方向の外側から当接することによって該蓄電素子１０の第二本体部２２１に対するＹ−Ｚ面方向への相対移動を規制する。この第二規制部２２２は、第二本体部２２１の少なくとも各角部からＸ軸方向に延び、第二本体部２２１と隣り合う蓄電素子１０（ケース１２）の角部にＹ−Ｚ面方向の外側から当接する面（当接面）を有する。
【００３４】
第三隣接部材２３は、第一隣接部材２１と第二隣接部材２２との間において、Ｘ軸方向に隣り合う蓄電素子１０の間に配置される。これにより、第三隣接部材２３を介してＸ軸方向に並ぶ蓄電素子１０の間に、所定の間隔（沿面距離等）が確保される。
【００３５】
具体的に、第三隣接部材２３は、蓄電素子１０（ケース本体１２０）と隣り合う本体部（以下、「第三本体部」と称する。）２３１と、第三本体部２３１と隣り合う蓄電素子１０の該第三本体部２３１に対する移動を規制する規制部（以下、「第三規制部」と称する。）２３２と、を有する。
【００３６】
第三本体部２３１は、Ｘ軸方向から見て隣り合う蓄電素子１０（ケース１２）に対応する矩形の輪郭を有する。また、第一本体部２１１は、Ｘ軸方向に隣り合う蓄電素子１０との間に冷却用の流体（本実施形態の例では空気）を通過させる通風路２３５を形成する。詳しくは、第三本体部２３１は、矩形波形の断面形状を有する。これにより、第三本体部２３１が隣り合う蓄電素子１０と当接することで、該蓄電素子１０との間に通風路２３５が形成される。
【００３７】
第三規制部２３２は、第三本体部２３１からＸ軸方向に延び、第三本体部２３１と隣り合う蓄電素子１０（詳しくはケース１２）とＹ−Ｚ面方向の外側から当接することによって該蓄電素子１０の第三本体部２３１に対するＹ−Ｚ面方向への相対移動を規制する。この第三規制部２３２は、第三本体部２３１の少なくとも各角部からＸ軸方向に延び、第三本体部２３１と隣り合う蓄電素子１０（ケース１２）の角部にＹ−Ｚ面方向の外側から当接する面（当接面）を有する。
【００３８】
保持部材３は、複数の蓄電素子１０と複数の隣接部材２との周囲を囲むことで、これら複数の蓄電素子１０と複数の隣接部材２とをひとまとめに保持する。この保持部材３は、導電性を有する部材によって構成される。具体的に、保持部材３は、Ｘ軸方向において複数の蓄電素子１０が間に位置するように配置される一対の終端部材３０と、複数の蓄電素子１０とＹ軸方向に対向した状態で一対の終端部材３０同士を接続する対向部材３１と、を備える。本実施形態の蓄電装置１では、一対の終端部材３０が、Ｘ軸方向の端に配置された蓄電素子１０との間に第二隣接部材２２を挟み込んだ状態で配置され、一対の対向部材３１がＸ軸方向に並ぶ複数の蓄電素子１０のＹ軸方向の両側に配置される。
【００３９】
一対の終端部材３０のそれぞれは、Ｙ−Ｚ面方向に広がる。具体的に、一対の終端部材３０のそれぞれは、蓄電素子１０と対応する輪郭（本実施形態では矩形状の輪郭）を有する本体３００と、本体３００から第二隣接部材２２の第二本体部２２１に向けて突出し且つ該第二隣接部材２２に当接する圧接部３０１と、端子台７が取り付けられる支持片３０２と、を有する。この支持片３０２は、本体３００の輪郭を構成する四つの辺（端縁）のうちの蓄電素子１０の蓋板１２１と対応する辺から、Ｘ軸方向に延び且つＹ軸方向に長い板状の部位である。
【００４０】
一対の対向部材３１のそれぞれは、Ｘ軸方向に延び且つＺ軸方向に間隔をあけて配置される一対の梁部３１０と、Ｘ軸方向における途中位置（本実施形態の例では、第一隣接部材２１とＹ軸方向に重なる位置）において一対の梁部３１０同士を連結する第一連結部３１１と、一対の梁部３１０の端部同士を連結する一対の第二連結部３１２と、を有する。本実施形態の対向部材３１は、第一連結部３１１と第二連結部３１２との間で一対の梁部３１０を連結する第三連結部３１３も備える。
【００４１】
一対の梁部３１０のそれぞれは、Ｘ軸方向に並ぶ複数の蓄電素子１０（ケース１２）の角部に沿って延びる。第一連結部３１１は、Ｚ軸方向に延び、第一隣接部材２１の連結部２１１１及び軸部２１３と対応する位置（具体的には、Ｙ軸方向に重なる位置）に貫通孔３１１１、３１１２を有する。貫通孔３１１１には、ボルトＢが挿通され、該ボルトＢは、第一隣接部材２１の連結部２１１１にねじ込まれる。これにより、対向部材３１と第一隣接部材２１とが連結される。また、貫通孔３１１２には、第一隣接部材２１の軸部２１３が挿通される。第二連結部３１２は、Ｚ軸方向に延び、終端部材３０と連結される。これにより、終端部材３０と対向部材３１とが接続（連結）される。第三連結部３１３は、Ｚ軸方向に延び、蓄電素子１０とＹ軸方向において重なる位置に配されている。
【００４２】
インシュレータ４は、絶縁性を有する。このインシュレータ４は、対向部材３１と、Ｘ軸方向に並ぶ複数の蓄電素子１０との間に配置される。具体的に、インシュレータ４は、保持部材３における少なくとも複数の蓄電素子１０と対向する領域を覆う。これにより、インシュレータ４は、対向部材３１と、Ｘ軸方向に並ぶ複数の蓄電素子１０との間を絶縁する。
【００４３】
バスバ５は、金属等の導電性を有する板状の部材によって構成される。このバスバ５は、複数種のバスバを含む。本実施形態のバスバ５は、中間バスバ５０と、端部バスバ５３と、を含む。
【００４４】
中間バスバ５０は、蓄電素子１０の外部端子１３同士を電気的に接続する。中間バスバ５０は、蓄電装置１において複数（複数の蓄電素子１０と対応する数）設けられる。これら複数の中間バスバ５０は、蓄電装置１に含まれる複数の蓄電素子１０の全てを直列に接続する（導通させる）。また、複数の中間バスバ５０は、第一隣接部材２１を介して隣り合う蓄電素子１０の外部端子１３同士を導通させる（即ち、第一隣接部材２１を跨いで接続する）第一バスバ５１と、第三隣接部材２３を介して隣り合う蓄電素子１０の外部端子１３同士を導通させる（即ち、第三隣接部材２３を跨いで接続する）第二バスバ５２と、を有する。本実施形態の蓄電装置１は、一つの第一バスバ５１と、複数の第二バスバ５２と、一対の端部バスバ５３と、を有する。
【００４５】
第一バスバ５１は、図５及び図６にも示すように、複数の蓄電素子１０のうちの所定の蓄電素子１０（以下、「第一の蓄電素子１０Ａ」と称することがある。）の外部端子１３と、複数の蓄電素子１０のうちの他の蓄電素子１０（以下、「第二の蓄電素子１０Ｂ」と称することがある。）の外部端子１３と、を導通させる。本実施形態の例では、第一の蓄電素子１０Ａは、Ｘ軸方向の一方側（図５の左側）において第一隣接部材２１と隣り合う蓄電素子であり、第二の蓄電素子１０Ｂは、Ｘ軸方向の他方側（図５の右側）において第一隣接部材２１と隣り合う蓄電素子である。即ち、第一バスバ５１は、第一隣接部材２１を介して隣り合う蓄電素子１０Ａ、１０Ｂの外部端子１３同士を接続する。この第一バスバ５１は、第一隣接部材２１との間に間隔を設けた状態（即ち、第一隣接部材２１と非接触状態）で該第一隣接部材２１を跨ぐように第一の蓄電素子１０Ａの外部端子１３と第二の蓄電素子１０Ｂの外部端子１３とを接続する。尚、第一バスバ５１が導通させる（接続する）第一の蓄電素子１０Ａ及び第二の蓄電素子１０Ｂの具体的な数は、限定されない。
【００４６】
第一バスバ５１は、第一の蓄電素子１０Ａの外部端子１３に接続される第一部材５５と、第二の蓄電素子１０Ｂの外部端子１３に接続され且つその一部が第一部材５５と重なる第二部材５６と、を有する。本実施形態の第一バスバ５１は、第一部材５５及び第二部材５６と重なる第三部材５７も有する。
【００４７】
第二バスバ５２は、図１、図２、及び図８に示すように、Ｘ軸方向に延びる（詳しくは、Ｘ―Ｙ平面方向に広がる）略矩形の板状であり、Ｘ軸方向の両端部に二つの貫通孔５２Ａを有する。これら二つの貫通孔５２Ａの大きさは異なる。本実施形態の蓄電装置１では、第二バスバ５２の大きい貫通孔５２Ａが設けられた部位（端部）は、負極の外部端子１３に接続され、小さい貫通孔５２Ａが設けられた部位（端部）は、正極の外部端子１３に接続される。
【００４８】
一対の端部バスバ５３のそれぞれは、図１、図２、及び図９に示されるように、一方の端子台７と、直列に接続された複数の蓄電素子１０の一方の極（例えば、正極）側の端部に配置された蓄電素子１０の外部端子１３と、を導通させると共に、他方の端子台７と、直列に接続された複数の蓄電素子１０の他方の極（例えば、負極）側の端部に配置された蓄電素子１０の外部端子１３と、を導通させる。
【００４９】
本実施形態の端部バスバ５３は、Ｘ軸方向に延びる板状の部材であり、Ｘ軸方向の途中位置に、曲がっている部位を有する。具体的に、端部バスバ５３は、Ｙ軸方向から見て迂回するように延びる第三迂回部５３１を有する。より具体的に、端部バスバ５３は、端子台７に接続される第三接続部５３３と、蓄電素子１０の外部端子１３に接続される第四接続部５３４と、第三接続部５３３と第四接続部５３４とを接続する第三迂回部５３１と、を有する。第三接続部５３３及び第四接続部５３４は、Ｘ−Ｙ面方向に広がる矩形板状の部位である。第三接続部５３３は、貫通孔５３３Ａを有し、第四接続部５３４は、貫通孔５３４Ａを有する。貫通孔５３３Ａ、５３４Ａの大きさは異なる。本実施形態の第三迂回部５３１の構成は、第一バスバ５１の第一迂回部５５４及び第二迂回部５６４と同様である。即ち、第三迂回部５３１は、第三接続部５３３の端から立ち上がる（Ｚ軸方向に延びる）第三起立部５３１１と、第三起立部５３１１とＸ軸方向に間隔を空けて第四接続部５３４の端から立ち上がる（Ｚ軸方向に延びる）第四起立部５３１２と、第三起立部５３１１の先端と第四起立部５３１２の先端とを繋ぎ且つＹ軸方向視が円弧状の湾曲部５３１３と、を有する。
【００５０】
取付部材６は、第一隣接部材２１に、取り外し可能に取り付けられる。具体的に、取付部材６は、図５及び図６に示すように、Ｚ軸方向に重なっている第一部材５５と、第二部材５６と、第三部材５７とを、該第三部材５７の側から貫通した状態で第一隣接部材２１の固定部（雌ねじ部）２１１３にねじ込まれている雄ねじ部６１を有する。
【００５１】
本実施形態の取付部材６は、ボルトであり、Ｚ軸方向に延びる雄ねじ部６１と、雄ねじ部６１の端部に設けられ且つＸ−Ｙ面方向の大きさが該雄ねじ部６１より大きな頭部６２と、を有する。そして、雄ねじ部６１が第一部材５５、第二部材５６、及び、第三部材５７を、貫通した状態でバスバ支持部２１１２の固定部２１１３にねじ込まれることで、頭部６２が、第一部材５５、第二部材５６、及び、第三部材５７をバスバ支持部２１１２に向けて押圧する。
【００５２】
端子台７は、図１、図２、及び図１０に示すように、外部機器、他の蓄電装置１等と接続される総端子７０と、該総端子７０から電力を出入力する際に端部バスバ５３と総端子７０との間で電力を中継する総合電極７１と、を備える。端子台７は、保持部材３に取り付けられて総端子７０及び総合電極７１を支持する基台部７２、を有する。また、本実施形態の端子台７は、蓄電装置１の不使用時等に総端子７０から出力しないように総合電極７１と総端子７０とが電気的に断絶している。一方で総合電極７１は、端部バスバ５３と電気的に接続している。端子台７は、蓄電装置１の使用時に総端子７０と総合電極７１とを電気的に接続する導電部材として後組みバスバ７５をさらに有する。端子台７は、総合電極７１を取り外し可能に覆う被覆部材７４と、該被覆部材７４で覆われている総合電極７１を開閉可能に覆うカバー７３と、をさらに備える。
【００５３】
総合電極７１は、一対の総端子７０の間での電気の流通経路における最も端に位置する蓄電素子１０と総端子７０との間に配されている。総合電極７１は、蓄電素子１０から出力される電力を中継し、後組みバスバ７５を介して総端子７０へと伝達する。総合電極７１は、端部バスバ５３が接続（固着）される板状部材７１１と、後組みバスバ７５を固定するために用いられるねじ部材７１２と、を有する。板状部材７１１は、導電性を有する。本実施形態の板状部材７１１は、Ｙ軸方向から見てＬ字状の部材、即ち、中間位置で屈曲している板状の部材である。具体的に、板状部材７１１は、所定の方向（本実施形態の例ではＸ軸方向）に延び且つ基台部７２を介して終端部材３０に固定される第一部位７１１１と、第一部位７１１１から前記所定の方向と交差する方向（本実施形態の例ではＺ軸方向）に延びる第二部位７１１２と、を有する。
【００５４】
ねじ部材７１２は、総端子７０と共通する形状を有し、Ｙ軸方向に間隔を設けて総端子７０と並んで配されている。ねじ部材７１２は、板状部材７１１（本実施形態の例では、第二部位７１１２）から突出する。具体的に、ねじ部材７１２は、第二部位７１１２からＸ軸方向に延びる雄ねじ部７１２１と、雄ねじ部７１２１の一端においてＹ−Ｚ面方向に広がる頭部７１２２と、を有する。
【００５５】
基台部７２は、終端部材３０に固定され、且つ板状部材７１１に対して終端部材３０が位置する側において該板状部材７１１を支持する。基台部７２は、板状部材７１１の第二部位７１１２を貫通する雄ねじ部７１２１（ねじ部材７１２）及び総端子７０が間に位置するように互いに対向する側壁部７２１を有する。
【００５６】
側壁部７２１は、雄ねじ部７１２１だけが間に位置するようにＺ軸方向において対向する第１の側壁部７２１１と、雄ねじ部７１２１及び総端子７０が間に位置するようにＹ軸方向において対向する第２の側壁部７２１２とを有する。Ｚ軸方向において対向する第１の側壁部７２１１は、Ｙ軸方向に対向する第２の側壁部７２１２の一方の両端から他方に向かって延びるように設けられている。即ち、第２の側壁部７２１２の一方と第１の側壁部７２１１とは、Ｘ軸方向に見たときにＣ字状となって雄ねじ部７１２１を三方から包囲する。総端子７０は、第２の側壁部７２１２の一方とＹ軸方向において対向する他方によって外側から覆われているがＺ軸方向においては側壁部７２１で覆われておらず開放された状態になっている。
【００５７】
総端子７０の側に設けられた第２の側壁部７２１２には、Ｘ軸方向の先端部において、カバー７３がＺ軸方向に延びる所定の軸を回転中心に回動可能に取り付けられている。このカバー７３が閉じた状態（第２の側壁部７２１２の端縁間に掛け渡された状態）では、板状部材７１１の第二部位７１１２、ねじ部材７１２、及び、総端子７０がＸ軸方向外側から覆われる。一方、カバー７３が開いた状態（所定の軸を回転中心にして回動した状態：図２、図１０の二点鎖線参照）では、ねじ部材７１２、及び、総端子７０の先端側が開放された状態となる。カバー７３によって雄ねじ部７１２１及び総端子７０をＸ軸方向から覆った状態においても総端子７０のＺ軸方向については前記の開放された状態が継続する。この開放された部分は、蓄電装置１から電力を取り出すためのケーブル等の経路として利用される。本実施形態の前記カバー７３は、後組みバスバ７５で電気的に接続された状態の総端子７０と総合電極７１とを覆うことが可能なものとなっている。これにより本実施形態の蓄電装置１は、出力可能な状態の総端子７０をカバー７３によって保護できる。本実施形態のカバー７３及び基台部７２は、プラスチックなどの絶縁材料で形成される。
【００５８】
本実施形態の蓄電装置１では、ゴムやプラスチックなどの弾性変形可能な絶縁材料で形成された被覆部材７４によってねじ部材７１２が覆われている。被覆部材７４は、ねじ部材７１２に外嵌される有底筒状のキャップ部７４１を有する。該キャップ部７４１は、ねじ部材７１２の挿入口となる開口部からの奥行きが板状部材７１１からねじ部材７１２が突出している高さよりも深い。即ち、キャップ部７４１は、雄ねじ部７１２１を略全長に亘って被覆し得るように構成されている。
【００５９】
被覆部材７４は、キャップ部７４１の開口縁より外向きに延びる鍔部７４２を更に有する。鍔部７４２は、平板状である。キャップ部７４１は鍔部７４２の中央部に位置し、鍔部７４２の一面側において突出している。鍔部７４２の輪郭形状は、雄ねじ部７１２１をＣ字状に包囲する側壁部７２１の内側の形状に対応し、該形状よりも僅かに大きい。即ち、被覆部材７４は、キャップ部７４１で雄ねじ部７１２１を覆った際に鍔部７４２が板状部材７１１を覆い、且つ、鍔部７４２の外周縁が側壁部７２１に内側から当接するように構成されている。本実施形態の鍔部７４２は、キャップ部７４１が突出している側に張り出した湾曲部７４２１を外周部に備えている。湾曲部７４２１は、キャップ部７４１の突出している側とは逆側から見た際に鍔部７４２の外周部に沿って周回する溝を構成している。鍔部７４２は、被覆部材７４で総合電極７１を覆った際に溝の幅が狭くなるように弾性変形し、弾性復元力によって側壁部７２１に係止する。
【００６０】
キャップ部７４１は、鍔部７４２からの突出方向基端側と先端側とに分離可能であってもよい。キャップ部７４１の先端側の一部を分離可能とすることで被覆部材７４の残りの部分を総合電極７１に被せたままで雄ねじ部７１２１の先端部を露出させることができ、この状態で総端子７０と総合電極７１とを導通させることができる。キャップ部７４１の先端側の一部を分離可能にするには、例えば、キャップ部７４１の先端部を手で引張るなどして切断出来るようにキャップ部７４１の周方向に沿った切込みを設ければよい。即ち、本実施形態の被覆部材７４は、キャップ部７４１を周回する方向における一部を残したフルカットや全周に及ぶハーフカットを設けてもよい。キャップ部７４１を周回する方向における一部を残したフルカットを設ける場合、キャップ部７４１をゴムのような弾性変形性に優れた素材で形成させれば、カットされていない部分を切断することなくキャップ部７４１の先端部を外して雄ねじ部７１２１の先端部を露出させることができる。キャップ部７４１をゴムのような弾性変形性に優れた素材で形成する場合、被覆部材７４を被せたままで雄ねじ部７１２１を露出させるための切り込みは、キャップ部７４１の突出方向に沿って設けられたものでもよい。
【００６１】
本実施形態の蓄電装置１では、Ｘ軸方向から端子台７を見たときにカバー７３が開いた状態では総端子７０が露出するが総端子７０は、総合電極７１と電気的に断絶されている。そのため蓄電装置１を他の装置に取り付けたり蓄電装置１を輸送したりする際にカバー７３が開いても蓄電素子１０に蓄えられた電力が総端子７０から出力されることが抑制される。また、本実施形態の蓄電装置１では、カバー７３が開いた状態でも総合電極７１が被覆部材７４で覆われている。即ち、カバー７３が開いた状態では、ねじ部材７１２がキャップ部７４１で覆われ、板状部材７１１が鍔部７４２で覆われた状態となる。そのため総合電極７１が蓄電素子１０と電気的に接続していても蓄電素子１０に蓄えられた電力が総合電極７１から出力されることが抑制される。
【００６２】
本実施形態の蓄電装置１は、カバー７３を開き、被覆部材７４を総合電極７１から取り外して総端子７０と総合電極７１とを後組みバスバ７５で電気的に接続することで総端子７０からの出力が可能となる。後組みバスバ７５は、総端子７０と総合電極７１との間の距離よりも長い金属板であり、長手方向一端部に総端子７０を挿通可能な貫通孔を有し、長手方向一端部に総合電極７１のねじ部材７１２を挿通可能な貫通孔を有する。従って、後組みバスバ７５は、ナットなどによりねじ部材７１２と総端子７０とに固定可能であり両者に対して着脱可能である。本実施形態の蓄電装置１は、後組みバスバ７５が備えられていなくてもよい。本実施形態の蓄電装置１は、後組みバスバ７５以外の導電部材で総端子７０と総合電極７１とが電気的に接続されてもよい。
【００６３】
本実施形態の蓄電装置１は、後組みバスバ７５が着脱可能であるため、総端子７０と総合電極７１とが電気的に接続された第１の状態と、総端子７０と総合電極７１とが電気的に接続されていない第２の状態とに切替可能である。このため蓄電装置１は、一旦、総端子７０からの出力を可能にした後で、再び総端子７０から出力できない状態に切り替えることができる。その場合、総合電極７１に被覆部材７４を再び装着することでカバー７３を開いたときに総合電極７１から出力されることを抑制することができる。蓄電装置１は、総合電極７１に後組みバスバ７５と被覆部材７４とが選択的に取り付け可能であることで、他の装置等に電気的に接続した後に取り外して輸送することが必要になったとき等においても容易に取扱うことができる。
【００６４】
本実施形態の蓄電装置１は、正極側の端子台７、及び、負極側の端子台７のそれぞれが総合電極７１と電気的に断絶された総端子７０を有していても、これらの内の一方だけが総合電極７１と電気的に断絶された総端子７０を有していてもよい。即ち、一対の端子台７の何れか一方では、複数の蓄電素子１０と総端子とが常に電気的に接続されていてもよい。また、本実施形態の蓄電装置１は、総合電極以前で電気的な接続を断絶可能にしてもよい。
【００６５】
蓄電装置１では、輸送の際又は該蓄電装置１が搭載された機器等のメンテナンスの際等、電気の入出力が不要な際に総端子７０から電気の入出力ができないように、絶縁プレート（絶縁部材）が取り付けられてもよい。
【００６６】
絶縁プレートは、絶縁性を有し、第一部材５５と第二部材５６との間に差し込み可能な形状を有する。図１１に示すように、本実施形態の絶縁プレート８は、板状の部材である。
【００６７】
この絶縁プレート８は、図１２に示すように、取付部材６及び第三部材５７が取り外された状態で、第一部材５５と第二部材５６との間に差し込まれる。これにより、一対の総端子７０間を繋ぐ電気経路が総端子７０と総合電極７１との間だけでなく第一バスバ５１の位置でも遮断され、蓄電装置１において一対の総端子７０から電気の入出力ができない状態となる。
【００６８】
一方、蓄電装置１を使用する際には、後組みバスバ７５で総端子７０と総合電極７１とが電気的に接続される。また、蓄電装置１を使用する際には、絶縁プレート８が引き抜かれ、第三部材５７が第一部材５５及び第二部材５６に重ねられた状態で取付部材６の雄ねじ部６１がバスバ支持部２１１２の固定部２１１３にねじ込まれる（図５参照）。これにより、第一部材５５と第二部材５６とが導通し、蓄電装置１において一対の総端子７０から電気の入出力ができる状態になる。
【００６９】
上記では、総端子７０と総合電極７１とに対して後組みバスバ７５を着脱すると共に第一バスバ５１の第一部材５５と第二部材５６とを接離させることで、総端子７０から電気を入出力できる状態とできない状態とに切り替えるが、蓄電装置１は、このように構成されたもの以外であってもよい。第一バスバ５１は、分離可能な複数の部材で構成せずに単一の部材で構成されてもよい。また、接離可能な複数の部材で構成されたバスバを設ける場合、該バスバは、第一バスバ５１以外でもよい。例えば、蓄電装置１において、端部バスバ５３が複数の部材を有し、これら複数の部材の接離によって総端子７０から電気を入出力できる状態とできない状態とに切り替える構成であってもよい。
【００７０】
具体的には、図１４に示すように、端部バスバ９が、外部端子１３に接続される第一接続部９１１を有する第一部材９１と、総合電極７１に接続される第二接続部９２１を有する第二部材９２と、を備え、第一接続部９１１と第二接続部９２１とが接続されて外部端子１３から総合電極７１までの導電経路が形成される場合、本実施形態の蓄電装置１は、第一接続部９１１と第二接続部９２１との間への絶縁プレート８の挿抜によって総端子７０から電気を入出力できる状態とできない状態とに切り替える構成であってもよい。
【００７１】
尚、本実施形態の蓄電装置は、例えば、ある実施形態の構成に他の実施形態の構成を追加することができる。また、本実施形態の蓄電装置は、ある実施形態の構成の一部を他の実施形態の構成に置き換えることができる。さらに、本実施形態の蓄電装置は、ある実施形態の構成の一部を削除することができる。
【符号の説明】
【００７２】
１：蓄電装置、２：隣接部材、３：保持部材、４：インシュレータ、５：バスバ、６：取付部材、７：端子台、８：絶縁プレート、９：端部バスバ、１０：蓄電素子、１１：電極体、１２：ケース、１３：外部端子、２１：第一隣接部材、２２：第二隣接部材、２３：第三隣接部材、３０：終端部材、３１：対向部材、５０：中間バスバ、５１：第一バスバ、５２：第二バスバ、５３：端部バスバ、５５：第一部材、５６：第二部材、５７：第三部材、６１：雄ねじ部、６２：頭部、７０：総端子、７１：総合電極、７２：基台部、７３：カバー、７４：被覆部材、７５：後組みバスバ、９１：第一部材、９２：第二部材、１２０：ケース本体、１２１：蓋板、１２３：閉塞部、１２４：胴部、２１１：第一本体部、２１２：第一規制部、２１３：軸部、２１５：通風路、２１６：凸部、２２１：第二本体部、２２２：第二規制部、２２５：通風路、２２６：凸部、２３１：第三本体部、２３２：第三規制部、２３５：通風路、３００：本体、３０１：圧接部、３０２：支持片、３１０：梁部、３１１：第一連結部、３１２：第二連結部、３１３：第三連結部、５３１：第三迂回部、５３３：第三接続部、５３４：第四接続部、７１１：板状部材、７１２：部材、７２１：側壁部、７４１：キャップ部、７４２：鍔部、９１１：第一接続部、９２１：第二接続部、２１１１：連結部、２１１２：バスバ支持部、２１１３：固定部、３１１１：貫通孔、３１１２：貫通孔、５３１１：第三起立部、５３１２：第四起立部、５３１３：湾曲部、７１１１：第一部位、７１１２：第二部位、７１２１：雄ねじ部、７１２２：頭部、７４２１：湾曲部、Ｂ：ボルト
【図１】
2019057432.tif 000003
【図２】
2019057432.tif 000004
【図３】
2019057432.tif 000005
【図４】
2019057432.tif 000006
【図５】
2019057432.tif 000007
【図６】
2019057432.tif 000008
【図７】
2019057432.tif 000009
【図８】
2019057432.tif 000010
【図９】
2019057432.tif 000011
【図１０】
2019057432.tif 000012
【図１１】
2019057432.tif 000013
【図１２】
2019057432.tif 000014
【図１３】
2019057432.tif 000015
【図１４】
2019057432.tif 000016